【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
吊り戸を上レールにランナーを介して走行自在に吊り下げ、床面に磁力にて突出引退自在に設けられたガイドピンを吊り戸の下端面に形成された走行溝に磁力で突出させて挿入することで走行ガイドを行う吊り戸装置であって、床面下にガイド具本体を埋設し、ガイド具本体内に先端に磁石を設けた伸縮自在なガイドピンを上方に突出自在に収納し、伸縮自在なガイドピンを磁石を先端に設けた第１ガイドと第１ガイドが上方に突出自在に嵌め込まれた筒状をした第２ガイドとで構成し、第２ガイドをガイド具本体内に上方に突出自在に収納し、第１ガイドの下端部に係止部を設けると共に第２ガイドの上端部に係止部が係止自在な被係止部を設け、第１ガイドが磁力の吸引力で上方に引き上げられた際に係止部が被係止部に係止して第１ガイドに従動して第２ガイドが上方に引き上げられるように構成し、吊り戸下端面に設けた走行溝を長手方向の両端部の導入溝部と、長手方向の中間部に設けた中間溝部と、両端部の導入溝部と中間溝部の両端部とを連通する案内溝部とで構成し、導入溝部の溝幅を第２ガイドよりも幅広とし、中間溝部の溝幅を第２ガイドよりも幅狭で且つ第１ガイドよりも幅広とし、案内溝部の溝幅を導入溝部側端部においては第２ガイドよりも幅広で中間溝部側端部において第２ガイドよりも幅狭で且つ第１ガイドよりも幅広とし、該案内溝部の途中に中間溝部側端部の方に行く程次第に幅が狭くなって第２ガイドのセンターを案内溝部の幅方向のセンター側に寄せるための幅寄せ部と、第２ガイドの上面が当たって第２ガイドを中間溝部側端部の方に行くにしたがって下方に押し下げるための押し下げ部とを備えて成ることを特徴とする吊り戸装置。
【請求項２】
案内溝部の溝幅を導入溝部側端部においては第２ガイドよりも幅広で中間溝部側端部において第２ガイドよりも幅狭で且つ第１ガイドよりも幅広となるように次第に狭くして幅寄せ部を構成し、該案内溝部の全長又は途中の一部を上記幅の条件下において更に溝幅が下に行くほど広くなるようにして押し下げ部を構成して成ることを特徴とする吊り戸装置。
【請求項３】
案内溝部の溝幅を導入溝部側端部においては第２ガイドよりも幅広で中間溝部側端部において第２ガイドよりも幅狭とし、案内溝部の導入溝部側端部に中間溝部側端部の方に行く程次第に幅が狭くなって第２ガイドのセンターを案内溝部の幅方向のセンター側に寄せるための幅寄せ部を設け、該案内溝部の導入溝部側端部に設けた幅寄せ部と案内溝部の中間溝部側端部との間を溝幅が第２ガイドよりも幅狭で且つ第１ガイドよりも幅広の幅が一定の平行溝部を形成すると共に該平行溝部の両側に沿って案内溝部の中間溝部側端部に行く程下面が下となるように傾斜した傾斜下面部を設けて押し下げ部を構成して成ることを特徴とする請求項１記載の吊り戸装置。
【請求項４】
走行溝を構成する部材を導入溝部と案内溝部とを備えた端部部材と、中間溝部を備えた中間部材とで構成し、吊り戸の下端面部の長手方向の端部に端部部材を取付け、吊り戸の下端面部の端部部材間に中間部材を取付けると共に端部部材の中間部材側端部に設けた突部を中間部材の受け部の側端部側に嵌め込んで案内溝部と中間溝部とを位置合わせ連通させて成ることを特徴とする請求項１乃至請求項３のいずれかに記載の吊り戸装置。
【請求項５】
導入溝部を吊り戸の下端面部の長手方向の最端部よりもやや内側に引き込んだ位置に配設して成ることを特徴とする請求項１乃至請求項４のいずれかに記載の吊り戸装置。
【請求項６】
床面下に埋設したガイド具本体内に上方に突出自在に収納された筒状をした第２ガイドと、該第２ガイド内に上方に突出自在に嵌め込まれた先端に磁石を設けた第１ガイドとで構成した伸縮自在なガイドピンを磁力で突出させて挿入することで吊り戸の走行ガイドを行うための吊り戸の下端面の長手方向の全長又は長手方向の略全長にわたって形成される走行溝を形成するための部材であって、
該走行溝を構成する部材を、吊り戸の下端面部の長手方向の両端部に取付けるための導入溝部と案内溝部とを備えた端部部材と、吊り戸の下端面部の端部部材間に取付けるための中間溝部を備えた中間部材とで構成し、導入溝部の溝幅を第２ガイドよりも幅広とし、中間溝部の溝幅を第２ガイドよりも幅狭で且つ第１ガイドよりも幅広とし、案内溝部の溝幅を導入溝部側端部においては第２ガイドよりも幅広で中間溝部側端部において第２ガイドよりも幅狭で且つ第１ガイドよりも幅広とし、該案内溝部の途中に中間溝部側端部の方に行く程次第に幅が狭くなって第２ガイドのセンターを案内溝部の幅方向のセンター側に寄せるための幅寄せ部と、第２ガイドの上面が当たって第２ガイドを中間溝部側端部の方に行くにしたがって下方に押し下げるための押し下げ部とを備えて成ることを特徴とする吊り戸装置の走行溝を構成するための部材。
【手続補正２】
【補正対象書類名】明細書
【補正対象項目名】全文
【補正方法】変更
【補正の内容】
【発明の詳細な説明】
【発明の名称】吊り戸装置及び吊り戸装置の走行溝を構成するための部材
【技術分野】
【０００１】
本発明は、  本発明は、吊り戸の下部をガイドするための吊り戸装置及び吊り戸装置の走行溝を構成するための部材に関するものである。
【背景技術】
【０００２】
従来から吊り戸が上レールにランナーを介して走行自在に吊り下げられ、床面に磁力にて突出引退自在に設けられた１本のガイドピンが吊り戸の下端面に形成された走行溝にその突出状態で挿入されて走行ガイドを行う吊り戸のガイド具が知られている。（例えば特許文献１、特許文献２、特許文献３、特許文献４参照）
上記、従来例にあっては、例えば図２０に示すように（図２０には上記特許文献３における吊り戸のガイド具が示してある）床面４下に埋設したガイド具本体７から上端部に磁石８を設けた１本のガイドピン５が磁力による吸引で上方に突出自在となっているため、ガイドピン５の上下移動長さを確保するには、１本のガイドピン５を床面４下に没入させるために床面４下にある一定の深さ（図２０において寸法Ｈで示す）が必要である。
【０００３】
ところで、近年床スラブ上に床材を直接貼り付けた直貼りフロアが普及しているが、このような直貼りフロアーの場合には上記ガイドピンを床面下に没入させるだけの深さを確保できず、したがって、上記従来例の吊り戸のガイド具は直貼りフロアには使用できなかった。
【０００４】
そこで、本発明者は本発明に至る過程で、図６に示すようなガイドピン５を磁石８を先端に設けた第１ガイド９と第１ガイド９が上方に突出自在に嵌め込まれた筒状をした第２ガイド１０とで構成し、第２ガイド１０をガイド具本体７内に上方に突出自在に収納し、第１ガイドの下端部に係止部１１を設けると共に第２ガイド１０の上端部に係止部１１が係止自在な被係止部１２を設け、第１ガイド９が磁力の吸引力で上方に引き上げられた際に係止部１１が被係止部１２に係止して第１ガイド９に従動して第２ガイド１０が上方に引き上げられるように構成することを考えた。これだと、床面下に没入させるガイドピン５の没入深さが浅くてもよく、直貼りフロアのようなものでも対応できるものである。
【０００５】
しかしながら、このようにガイドピン５を径の大きい第２ガイド１０と、径の小さい第１ガイド１０とで構成するものにおいては、吊り戸の下面部に設ける走行溝の溝幅を径の大きい（幅広の）第２ガイド１０に合わせると、第１ガイド１のみが走行溝に入っているような場合には溝幅が広すぎて吊り戸のがたつきが大きいという問題があり、また、吊り戸の下面部に設ける走行溝の溝幅を径の小さい（幅狭の）第１ガイド９に合わせると、走行溝内に第２ガイド１０が嵌ると走行できなくなるという問題があった。つまり、通常は第１ガイド９が磁力による吸引で走行溝内に入り、第２ガイド１０は自重による自然落下で走行溝の下方に位置するようになっているが、第２ガイド１０と第１ガイド９とのスライド部分にごみなどがつまると、磁力による吸引で第１ガイド９が走行溝内に入る場合に第１ガイド９が第２ガイド１０から十分に伸び切らないままの状態で第２ガイド１０の上部も走行溝内に嵌り込もうとし、これにより走行できなくなるおそれがあることが判明した。
【特許文献１】実開平４−１１３６７０号公報
【特許文献２】特開２００１−６５２２８号公報
【特許文献３】特開平１１−７１９５４号公報
【特許文献４】特開平１１−２２２７９号公報
【発明の開示】
【発明が解決しようとする課題】
【０００６】
本発明は上記の従来例の問題点に鑑みて発明したものであって、床面下に収納した状態でのガイドピンの収納長さを短く、床面から突出した状態でのガイドピンの突出長さを長くできて、直貼りフロアーのように床面下にガイドピンを収納するための深い収納部を設けることができないような場合でも適用でき、しかも、走行不能になったり、走行中にがたついたりしない吊り戸装置及び吊り戸装置の走行溝を構成するための部材を提供することを課題とするものである。
【課題を解決するための手段】
【０００７】
上記課題を解決するために本発明に係る吊り戸装置は、吊り戸１を上レール２にランナー３を介して走行自在に吊り下げ、床面４に磁力にて突出引退自在に設けられたガイドピン５を吊り戸１の下端面に形成された走行溝６に磁力で突出させて挿入することで走行ガイドを行う吊り戸１のガイド装置であって、床面４下にガイド具本体７を埋設し、ガイド具本体７内に先端に磁石８を設けた伸縮自在なガイドピン５を上方に突出自在に収納し、伸縮自在なガイドピン５を磁石８を先端に設けた第１ガイド９と第１ガイド９が上方に突出自在に嵌め込まれた筒状をした第２ガイド１０とで構成し、第２ガイド１０をガイド具本体７内に上方に突出自在に収納し、第１ガイド９の下端部に係止部１１を設けると共に第２ガイド１０の上端部に係止部１１が係止自在な被係止部１２を設け、第１ガイド９が磁力の吸引力で上方に引き上げられた際に係止部１１が被係止部１２に係止して第１ガイド９に従動して第２ガイド１０が上方に引き上げられるように構成し、吊り戸１下端面に設けた走行溝６を長手方向の両端部の導入溝部４１と、長手方向の中間部に設けた中間溝部４３と、両端部の導入溝部４１と中間溝部４３の両端部とを連通する案内溝部４２とで構成し、導入溝部４１の溝幅を第２ガイド１０よりも幅広とし、中間溝部４３の溝幅を第２ガイド１０よりも幅狭で且つ第１ガイド９よりも幅広とし、案内溝部４２の溝幅を導入溝部４１側端部においては第２ガイド１０よりも幅広で中間溝部４３側端部において第２ガイド１０よりも幅狭で且つ第１ガイド９よりも幅広とし、該案内溝部４２の途中に中間溝部４３側端部の方に行く程次第に幅が狭くなって第２ガイド１０のセンターを案内溝部４２の幅方向のセンター側に寄せるための幅寄せ部Ａと、第２ガイドの上面が当たって第２ガイド１０を中間溝部４３側端部の方に行くにしたがって下方に押し下げるための押し下げ部Ｂとを備えて成ることを特徴とするものである。
【０００８】
このような構成とすることで、第１ガイド９が磁力による吸引で上方に突出した際に、第１ガイド９に従動して第２ガイド１０が上方に突出して、これにより簡単な構成でガイドピン５が床面４から上方に突出した状態で伸張するものであり、一方、床面４下に収納された状態では第２ガイド１０がガイド具本体７内に収納され、第１ガイド９が第２ガイド１０内に収納され、簡単な構成でガイドピン５の収納深さを浅くできるものである。しかも、磁力により第１ガイド９が引き上げられて走行溝６の長手方向の端部の導入溝部４１に入った際に、同時に第２ガイド１０の上端部が走行溝６内に入ることがあるが、このような場合、案内溝部４２で案内されながら幅広の（径の大きい）第２ガイド１０が幅寄せ部Ａにより案内溝部４２の幅方向のセンター側に寄せられると共に押し下げ部Ｂで第２ガイドの上面が次第に下方に押し下げられて導入溝部４１から下方に抜け、幅狭の（径の小さい）第１ガイド９のみが案内溝部４２から中間溝部４３に移動して位置することになり、第２ガイド１０よりも幅狭で且つ第１ガイド９よりも幅広の中間溝部４３部分に第１ガイド９のみが嵌め込まれてがたつきなく安定して走行させることができるものである。
【０００９】
また、案内溝部４２の溝幅を導入溝部４１側端部においては第２ガイド１０よりも幅広で中間溝部４３側端部において第２ガイド１０よりも幅狭で且つ第１ガイド９よりも幅広となるように次第に狭くして幅寄せ部Ａを構成し、該案内溝部４２の全長又は途中の一部を上記幅の条件下において更に溝幅が下に行くほど広くなるようにして押し下げ部Ｂを構成することが好ましい。
【００１０】
このような構成とすることで、幅寄せ部Ａにより第２ガイド１０のセンターが次第に導入溝部４１のセンターに位置するように幅を寄せられながら第２ガイド１０が押し下げ部Ｂにより次第に下方に押し下げられることになって、第２ガイド１０を案内溝部４２から下方に抜けさせる操作がスムーズに行えることになる。
【００１１】
また、案内溝部４２の溝幅を導入溝部４１側端部においては第２ガイド１０よりも幅広で中間溝部４３側端部において第２ガイド１０よりも幅狭とし、案内溝部４２の導入溝部４１側端部に中間溝部４３側端部の方に行く程次第に幅が狭くなって第２ガイド１０のセンターを案内溝部４２の幅方向のセンター側に寄せるための幅寄せ部Ａを設け、該案内溝部４２の導入溝部４１側端部に設けた幅寄せ部Ａと案内溝部４２の中間溝部４３側端部との間を溝幅が第２ガイド１０よりも幅狭で且つ第１ガイド９よりも幅広の幅が一定の平行溝部４２ｃを形成すると共に該平行溝部４２ｃの両側に沿って案内溝部４２の中間溝部４３側端部に行く程下面が下となるように傾斜した傾斜下面部４２ｄを設けて押し下げ部Ｂを構成することが好ましい。
【００１２】
このような構成とすることで、案内溝部４２の導入溝部４１側の端部に設けた幅寄せ部Ａにおいて、第２ガイド１０のセンターが次第に導入溝部４１のセンターに位置するように幅寄せし、次にこのように第２ガイド１０を幅寄せしてた状態で押し下げ部Ｂにより次第に下方に押し下げて行くことができ、第２ガイド１０を幅寄せして幅方向の正確な位置に位置させた状態で安定して確実に第２ガイド１０を案内溝部４２から下方に抜けさせる操作を行うことができる。
【００１３】
また、走行溝６を構成する部材を導入溝部４１と案内溝部４２とを備えた端部部材４４と、中間溝部４３を備えた中間部材４５とで構成し、吊り戸１の下端面部の長手方向の端部に端部部材４４を取付け、吊り戸１の下端面部の端部部材４４間に中間部材４５を取付けると共に端部部材４４の中間部材４５側端部に設けた突部４６を中間部材４５の側端部側に嵌め込んで案内溝部４２と中間溝部４３とを位置合わせ連通させることが好ましい。
【００１４】
このような構成とすることで、溝幅が変化する複雑な形状の導入溝部４１と案内溝部４２とを備えた短尺の端部部材４４と、溝幅が一定の長尺の中間部材４５とを別部材としてそれぞれの製造を容易にし、このように製造が容易となるように別部材にした端部部材４４と中間部材４５とを吊り戸１の下端面部にそれぞれ別々に取付けたものにおいて、端部部材４４の中間部材４５側端部に設けた突部４６を中間部材４５の側端部側に嵌め込むことで簡単且つ確実に案内溝部４２と中間溝部４３との位置合わせを行って溝部の連続性を確保できる。
【００１５】
また、導入溝部４１を吊り戸１の下端面部の長手方向の最端部よりもやや内側に引き込んだ位置に配設することが好ましい。
【００１６】
このような構成とすることで、導入溝部４１が吊り戸１の長手方向の最端部において側方に開口して露出せず、外観を良くすることができるものである。
【００１７】
また、本発明の吊り戸装置の走行溝を構成するための部材は、床面４下に埋設したガイド具本体７内に上方に突出自在に収納された筒状をした第２ガイド１０と、該第２ガイド１０内に上方に突出自在に嵌め込まれた先端に磁石８を設けた第１ガイド９とで構成した伸縮自在なガイドピン５を磁力で突出させて挿入することで吊り戸１の走行ガイドを行うための吊り戸１の下端面の長手方向の全長又は長手方向の略全長にわたって形成される走行溝６を形成するための部材であって、該走行溝６を構成する部材を、吊り戸１の下端面部の長手方向の両端部に取付けるための導入溝部４１と案内溝部４２とを備えた端部部材４４と、吊り戸１の下端面部の端部部材４４間に取付けるための中間溝部４３を備えた中間部材４５とで構成し、導入溝部４１の溝幅を第２ガイド１０よりも幅広とし、中間溝部４３の溝幅を第２ガイド１０よりも幅狭で且つ第１ガイド９よりも幅広とし、案内溝部４２の溝幅を導入溝部４１側端部においては第２ガイド１０よりも幅広で中間溝部４３側端部において第２ガイド１０よりも幅狭で且つ第１ガイド９よりも幅広とし、該案内溝部４の途中に中間溝部４３側端部の方に行く程次第に幅が狭くなって第２ガイド１０のセンターを案内溝部４２の幅方向のセンター側に寄せるための幅寄せ部Ａと、第２ガイド１０の上面が当たって第２ガイド１０を中間溝部４３側端部の方に行くにしたがって下方に押し下げるための押し下げ部Ｂとを備えて成ることを特徴とする。
【００１８】
このような構成とすることで、先端に磁石８を設けた第１ガイド９と、第１ガイド９が上方に突出自在に嵌め込まれた第２ガイド１０とよりなる伸縮自在なガイドピン５を磁力で突出させて吊り戸１の走行ガイドを行うために吊り戸１の下端面に設けられる走行溝６を構成するための部材を、溝幅が変化する複雑な形状の導入溝部４１と案内溝部４２とを備えた短尺の端部部材４４と、溝幅が一定の長尺の中間部材４５とを別部材としてそれぞれの製造が容易となる。
【発明の効果】
【００１９】
本発明の吊り戸装置は、ガイドピンを床面下に収納するための収納部分の深さが浅くてよくて、直貼りフロアーのような床面下に深い収納部分が形成できないようなフロアーであっても、吊り戸装置を床面下に埋設できる。しかも、幅の狭い第１ガイドを磁力により溝幅の広い導入溝部内に確実に導入して導入後は案内溝部で案内して溝幅の狭い中間溝部に第１ガイドを導入して引き戸の走行時のがたつきを確実に防止することができる。この場合、磁力により第１ガイドが引き上げられて走行溝の長手方向の端部の導入溝部に入った際に、同時に第２ガイドの上端部が走行溝内に入ることがあるが、本発明においては、案内溝部内を移動する際に第２ガイドが幅寄せ部により幅寄せされ且つ押し下げ部で下方に押し下げられて、導入溝部から下方に抜けると共に幅狭の第１ガイドのみが導入溝部から中間溝部に入り、第２ガイドよりも幅狭で且つ第１ガイドよりも幅広の中間溝部部分に第１ガイドのみを嵌め込んでがたつきなく安定して走行させることができる。
【００２０】
また、本発明の吊り戸装置の走行溝を構成するための部材は、溝幅が変化する複雑な形状の導入溝部と案内溝部とを備えた短尺の端部部材と、溝幅が一定の長尺の中間部材とを別部材としてそれぞれの製造が容易となる。
【発明を実施するための最良の形態】
【００２１】
以下、本発明を添付図面に示す実施形態に基いて説明する。
【００２２】
図２、図４に示すように、吊り戸１の上端の両端部にはランナー３が設けてあり、これらランナー３は天井などに取付けた上レール２に走行自在に嵌め込んであって、ランナー３を介して吊り戸１が上レール２に走行自在に吊り下げてある。上レール２の下方の床面４には図１乃至図３に示すように、上レール２に平行にガイドピン５が適宜間隔を隔てて磁力にて突出引退自在に設けてある。
【００２３】
まず、床面４にガイドピン５を突出引退自在に設けた吊り戸のガイド具につき説明する。
【００２４】
吊り戸のガイド具は図６乃至図８に示すようなもので、床面４下に埋設されるガイド具本体７と、ガイド具本体７内に上方に突出自在に収納されるガイドピン５とで構成してある。
【００２５】
床面４下に埋設されるガイド具本体７は図６に示すように外筒１９と内筒２０とで構成してある。外筒１９は図９に示すように外周面部に食い込み用突起１７を有しており、床面４にドリルにより穴１８を穿孔し、この穴１８に外筒１９を打ち込んで、食い込み用突起１７を穴１８の内壁面に食い込ませることで外筒１９を床面４下に埋設固着するようになっている。ここで、外筒１９の上端部にはフランジ部２１が設けてあって、外筒１９の挿入深さを決めている。
【００２６】
内筒２０は図１０に示すようなもので、この内筒２０には内筒２０の中心に対して偏芯した位置にガイドピン挿入孔２５が上下に貫通して設けてあり、この偏芯したガイドピン挿入孔２５を有する内筒２０を外筒１９内に嵌め込むと共に内筒２０を外筒１９に対して周方向の嵌め込み位置を可変自在としてある。すなわち、外筒１９の内周面に周方向に一定間隔で複数の差し込み溝２３を設けると共に内筒２０の外周面に突起２４を設け、内筒２０を外筒１９に嵌め込む際に周方向に複数設けた差し込み溝２３のうち任意の差し込み溝２３に突起２４を嵌め込むことで、内筒２０を外筒１９に対して周方向に回転した複数位置のうち任意の位置で嵌め込み且つこの嵌め込み状態を差し込み溝２３への突起２４の嵌め込みによって保持して差し込み状態では周方向に回転しないように阻止している。したがって、差し込み溝２３、突起２４により各嵌め込み位置での嵌め込み状態において内筒２０が外筒１９に対して回転するのを阻止するストッパ手段が構成してある。なお、内筒２０の外周面に周方向に一定間隔で差し込み溝２３を設け且つ外筒１９の外周面に突起２４を設けるようにしてもよい。
【００２７】
内筒２０の上端部には鍔部２９が設けてあり、内筒２０の下端部の外周部には環状の係止溝２６が形成してあり、外筒１９の下端部に係止突起２８を備えた弾性を有する係止片２７を設けてあり、内筒２０を上記のように外筒１９内の周方向の任意の位置に嵌め込んだ状態で鍔部２９がフランジ部２１に当たって内筒２０の挿入深さを決めており、また、この状態で上記係止突起２８に環状をした係止溝２６が着脱自在に弾性的に嵌り込んで内筒２０の上方への不意な抜けを防止するようになっている。また、ドライバーなどの治具の先端を内筒２０の鍔部２９と外筒１９のフランジ部２１との間に差し込んで引き上げることで上記係止突起２８から係止溝２６を離脱させて内筒２０を上方に引き上げることができるようになっている。
【００２８】
内筒２０に設けた偏芯したガイドピン挿入孔２５内面部には下端部から上端部のやや下方位置までガイド溝３０が設けてあり、ガイド溝３０の上端部が当たり部３１となっている。このガイドピン挿入孔２５にはガイドピン５が上方に突出自在に収納してある。
【００２９】
本発明においてガイドピン５は先端（上端部）に磁石８を備え且つ伸縮自在となっており、磁力による吸引力でガイドピン５が上方に引き上げられて突出した状態ではガイドピン５が伸びて長くなり且つガイド具本体７に収納した収納状態では収縮して短くなるようになっている。
【００３０】
すなわち、ガイドピン５は図６、図７に示すように、磁石８を先端に設けた第１ガイド９と第１ガイド９が上方に突出自在に嵌め込まれる筒状をした第２ガイド１０とで構成してある。
【００３１】
図１２に示すように、上端部に磁石８を設けた第１ガイド９の外面部の下端よりやや上方位置に係止部１１が突設してある。
【００３２】
一方、図１１に示すように、筒状の第２ガイド１０の内面部には下端部から上端部のやや下方位置までガイド溝３３が設けてあり、ガイド溝３３の上端部が被係止部１２となっている。また、第２ガイド１０の外面部の下端よりやや上方位置にストッパ用突起３５が突設してある。
【００３３】
上記筒状の第２ガイド１０には下開口部から第１ガイド９を挿入してあり、この場合、係止部１１をガイド溝３３にスライド自在に嵌め込んである。挿入後に第２ガイド１０の下開口部の一部（実施形態ではガイド溝３３の下端部の内面部）を潰して内方に突出させることで抜け止め部１３が形成してある。したがって、第１ガイド９は係止部１１がガイド溝３３の上端部の被係止部１２に当たって係止するまで第２ガイド１０から上方に突出することが可能であり、また、第１ガイド９が第２ガイド１０内に没入した状態で上記係止部１１が抜け止め部１３に当たってそれ以上第１ガイド９が第２ガイド１０に対して下降しないようになっている。
【００３４】
内筒２０に設けた偏芯したガイドピン挿入孔２５には下開口部から第２ガイド１０が挿入してあり、この場合、ストッパ用突起３５がガイド溝３０にスライド自在に嵌め込んである。挿入後に内筒２０の下開口部の一部（実施形態ではガイド溝３０の下端部の内面部）を潰して内方に突出させることで抜け止め部１４が形成してある。したがって、図７に示すように、第２ガイド１０はストッパ用突起３５がガイド溝３０の上端部の当たり部３１に当たるまで内筒２０から上方に突出することが可能であり、また、図６に示すように、第２ガイド１０が内筒２０内に没入した状態で上記ストッパ用突起３５が抜け止め部１４に当たってそれ以上第２ガイド１０が内筒２０に対して下降しないようになっている。
【００３５】
第１ガイド９の上端部に設けた磁石８はＮ極とＳ極が上下方向に並ぶようにしてあり、また、ガイドピン５に設けた磁石８の上面側が上記吊り戸１の下端面の走行溝６の両端部に設けた吸引用磁石１５の下面の極と異なる極にしてある。つまり、例えば、前述のように吸引用磁石１５の下面側がＳ極、上面側がＮ極の場合、ガイドピン５の上端部の磁石８の上面側はＮ極に設定してある。
【００３６】
上記のようにして第１ガイド９と第２ガイド１０とよりなる伸縮自在なガイドピン５を複数個床面４に突出引退自在に取付けるのである。ここで、吊り戸１の走行軌跡上に位置する複数のガイドピン５は一直線上に位置させる必要があるが、本発明においては、ガイドピン挿入孔２５の中心を内筒２０の中心に対して偏心させてあるので、ガイドピン５を嵌め込んでいる内筒２０を外筒１９に対して回転することで、平面視におけるガイドピン５の位置を調整し、吊り戸１の走行軌跡（つまり走行溝６の走行軌跡）に合わせることができるものである。
【００３７】
吊り戸１の下端面には長手方向の全長又は長手方向の略全長にわたって走行溝６が形成してある。図３に示すように、走行溝６の両端部にはそれぞれ吸引用磁石１５が取付けてあり、この吸引用磁石１５はいずれもＮ極とＳ極とが上下方向に並ぶように配置してある。この場合、両吸引用磁石１５の下面の極同士が同じ極で、上面の極同士が同じ極となるようにしてある。例えば、図３に示す実施形態に示すように一方の側端部に取付ける吸引用磁石１５の下面側がＳ極、上面側がＮ極とすると、他方の側端部に取付ける吸引用磁石１５も下面側がＳ極、上面側がＮ極となるように設定してある。また、走行溝６の上底部の両側端部の吸引用磁石１５間の部位には鉄板のような磁性体１５ａが設けてある。
【００３８】
走行溝６は長手方向の両端部の導入溝部４１と、長手方向の中間部に設けた中間溝部４３と、両端部の導入溝部４１と中間溝部４３の両端部とを連通する案内溝部４２とで構成してある。
【００３９】
ここで、導入溝部４１の溝幅は第２ガイド１０よりも幅広となっており、中間溝部４３の溝幅は第２ガイド１０よりも幅狭で且つ第１ガイド９よりも幅広となっている。また、案内溝部４２の溝幅は導入溝部４１側端部においては第２ガイド１０よりも幅広（実施形態では導入溝部４１と同じ溝幅）で中間溝部４３側端部において第２ガイド１０よりも幅狭で且つ第１ガイド９よりも幅広となるように次第に狭く（実施形態では中間溝部４３と同幅）なっており、更に、該案内溝部４２の途中には中間溝部４３側端部の方に行く程次第に幅が狭くなって第２ガイド１０のセンターを案内溝部４２の幅方向のセンター側に寄せるための幅寄せ部Ａと、第２ガイドの上面が当たって第２ガイド１０を中間溝部４３側端部の方に行くにしたがって下方に押し下げるための押し下げ部Ｂとが設けてある。
【００４０】
図３、図４、図５、図１４に示す実施形態においては、案内溝部４２の溝幅を導入溝部４１側端部においては第２ガイド１０よりも幅広で中間溝部４３側端部において第２ガイド１０よりも幅狭で且つ第１ガイド９よりも幅広となるように次第に狭くして幅寄せ部Ａを構成してあり、また、該案内溝部４２の全長又は途中の一部を上記幅の条件下において更に溝幅が下に行くほど広くなるように形成して押し下げ部Ｂを構成してある。
【００４１】
つまり、図３、図４、図５、図１４に示すように、案内溝部４２は導入溝部４１側の溝半部である外側溝部４２ａと中間溝部４３側の溝半部である内側溝部４２ｂとに分かれており、外側溝部４２ａは平面視ハ字状をしており、外側溝部４２ａの導入溝部４１側端部の幅広部分が導入溝部４１と同幅となっており、外側溝部４２ａの内側溝部４２ｂ側端部の幅狭部分が第２ガイド１０と略同幅となっている。また、内側溝部４２ｂは平面視において中間溝部４３側に行くほど溝幅が次第に狭くなるような平面視ハ字状をすると共に走行溝６の長手方向と直交する垂直面で切断した断面形状がハ字状となるように下に行くほど幅広となっており、内側溝部４２ｂの外側溝部４２ａ側の端部は、外側溝部４２ａの内側溝部４２ｂ側の端部に上下とも一致しており、内側溝部４２ｂの中間溝部４３側端部の上端部が中間溝部４３の上端部と一致しており、内側溝部４２ｂの中間溝部４３側端部の下端部間の幅は中間溝部４３の下端部間の幅よりも広く且つ第２ガイド１０よりも幅狭となっている。
【００４２】
したがって、本実施形態では、平面視ハ字状となった外側溝部４２ａとこれに連続する平面視ハ字状となった内側溝部４２ｂにより、中間溝部４３側端部の方に行く程次第に幅が狭くなって第２ガイド１０のセンターを案内溝部４２の幅方向のセンター側に寄せるための幅寄せ部Ａを構成してある。
【００４３】
また、本実施形態では、平面視ハ字状となり且つ走行溝６の長手方向と直交する垂直面で切断した断面形状がハ字状となるように下に行くほど幅広となった内側溝部４２ｂにより、第２ガイドの上面が当たって第２ガイド１０を中間溝部４３側端部の方に行くにしたがって下方に押し下げるための押し下げ部Ｂを構成している。
【００４４】
走行溝６を構成する部材は導入溝部４１と案内溝部４２とを備えた端部部材４４と、中間溝部４３を備えた中間部材４５とで構成してある。端部部材４４は図３、図４、図５、図１４に示すように短尺で合成樹脂や金属により一体に成形してあり、端部ブロック部４８の下端部の一端部から下端面板部４９を突出してある。端部ブロック部４８は断面Ｈ字状をしており、上下方向の中間に設けた中仕切り５０よりも下側の凹所に前述の導入溝部４１と案内溝部４２とが形成してあり、中仕切り５０よりも上の凹所に磁石取付け部５１を設けて吸引用磁石１５を取付けてある。導入溝部４１の案内溝部４２と反対側の端部には案内溝部４２側に行くほど上となるような傾斜ガイド１６が設けてあり、また、案内溝部４２の導入溝部４１と反対方向の端部は開口しており、断面Ｈ字状をした端部ブロック部４８の案内溝部４２の端部には突部４６が突設してある。また、下端面板部４９の上面には吊り戸１の縦框５２内に嵌め込むための嵌め込み突出部５３と係止部５４を有する係止突片５５が設けてある。
【００４５】
中間溝部４３を備えた中間部材４５は断面Ｈ字状をした長尺のもので合成樹脂や金属により構成してあり、各部の断面形状が同じ形状となっている。中間部材４５の上下方向の中間に設けた中仕切り５７よりも下の凹所は全長にわたって中間溝部４３となっており、また、中間部材４５の上下方向の中間に設けた中仕切り５７の上面部には鉄板のような磁性体１５ａが全長にわたって取付けてある。更に、断面Ｈ字状をした中間部材４５の両側下端部にはそれぞれ下突片５６が外側方に向けて突出してあり、更に下突片５６の上面側の突出基部に受け部４７が突設してある。また、断面Ｈ字状をした中間部材４５の両側上端部の外面にはそれぞれ全長にわたって引掛け爪部５８が突設してあり、引掛け爪部５８の外側面は下に行くほど外側となるように傾斜した傾斜面となっている。
【００４６】
引き戸１は左右の縦框５２と上下の横框５９とを枠組みし、枠組体に囲まれた部分に面板を取付けて構成してある。縦框５２、横框５９は金属や合成樹脂の型材により構成してあり、横框５９の長手方向の端面を縦框５２の長手方向の端部内面に当接し、タッピングねじ８５を縦框５２の内面部に設けた挿入孔６１に挿入して横框５９のタッピングホール部６２に螺合することで取付けるようになっている。
【００４７】
ここで、縦框５２には外面部には上下方向にわたって側方開口部６０が設けてあり、側方開口部６０にはパッキン材６０ａが着脱自在に取付けてあり、更に縦框５２の中間縦仕切り６３には側方開口部６０から上記挿入孔６１にタッピングねじ８５を挿入してドライバーによりタッピングホール部６２に螺合する際に、タッピングねじ８５を挿通したりドライバーを挿通するために利用する開口孔６４が設けてある。また、縦框５２の内面部の下端部には切り欠き部６５が設けてある。
【００４８】
下に位置する横框５９には図５に示すようにタッピングホール部６２と、下方に開口する下開口部６６が設けてある。下開口部６６には断面コ字状をした下地枠６７が嵌め込まれてねじ具６８により固定してあり、この下地枠６７の両内壁面の上下方向の略中間部分には全長にわたって引掛け用突部６９が突設してある。下地枠６７は下開口部６６の長手方向の端部を少し残した状態（つまり端部ブロック部４８を嵌め込む部分を残して）で嵌め込んである。
【００４９】
吊り戸１の下端面部に端部部材４４と、中間部材４５とを取付けるには以下のようにして行うものである。
【００５０】
まず、端部部材４４の端部ブロック部４８を下に位置する横框５９の下開口部６６の長手方向の端部内に嵌め込むと共に下端面板部４９上面の嵌め込み突出部５３と係止突片５５とを縦框５２の下端部内に嵌め込み、同時に縦框５２の中間縦仕切り６３に設けた開口孔６４に係止突片５５の係止部５４を係止して取付ける。この場合、端部ブロック部４８に突設した突部４６を下地枠６７の引掛け用突部６９の下面に当接する。このようにして端部部材４４をそれぞれ吊り戸１の下端面部の長手方向の両端部に取付けた場合、吊り戸１の下端面部の長手方向の最端部は下端面板部４９により被われ、導入溝部４１は吊り戸１の下端面部の長手方向の最端部よりもやや内側に引き込んだ位置に配設することになり、導入溝部４１が吊り戸１の長手方向の最端部において側方に開口して露出せず、外観を良くしている。
【００５１】
上記のようにして端部部材４４を吊り戸１の長手方向の両下端面部に取付けた後、横框５９の断面コ字状をした下地枠６７内に下方から中間部材４５を嵌め込み、引掛け爪部５８を下地枠６７の引掛け用突部６９の上面に引掛けると共に、下突片５６を断面コ字状をした下地枠６７の下端面に当接することで取付けるものである。この場合、下地枠６７内に下方から中間部材４５を嵌め込むことで、端部部材４４の突部４６を中間部材４５の受け部４７で上方に押付けて受け部４７と引掛け用突部６９との間に嵌め込んだ状態として案内溝部４２と中間溝部４３とを位置合わせ連通させるものである。
【００５２】
しかして、ランナー３を介して上レール２に吊り下げた吊り戸１を走行させ、吊り戸１の下端面部の走行溝６の端部の吸引用磁石１５の下面の極（実施形態ではＳ極）が床面４下に引退しているガイドピン５と対向する位置（つまり溝幅の広い導入溝部４１の傾斜ガイド１６よりも内側位置）までくると、吸引用磁石１５の下面の極とガイドピン５の第１ガイド９の上端部に設けた磁石８の上面の極とが異極であるため磁力により第１ガイド９が上方に引き上げられ、第１ガイド９が上方に引き上げられることで、係止部１１がガイド溝３３内を上昇し、係止部１１が被係止部１２に当たると、第１ガイド９に従動して第２ガイド１０が上方に引き上げられて上方に突出し、これによりガイドピン５が伸張して走行溝６の端部の導入溝部４１内に入り込む。このようにガイドピン５が伸張して上方に引き上げられる。この状態で吊り戸１を更に移動させると、第１ガイド９は磁石８が吸引用磁石１５で吸引されて上方に引き上げられた状態で案内溝部４２で案内されながら中間溝部４３に入り込み、中間溝部４３部分においては磁性体１５ａに磁石８が吸引されて上方に突出して伸張状態が保持され、上記吊り戸１の下端面部の走行溝６がこの伸張したガイドピン５にガイドされながら吊り戸１が移動することになって、吊り戸１の下端部が振れるのを防止することになる。図３にガイドピン５が上方に突出して吊り戸１の下端面部の走行溝６内に入り込んで振れ止めをしながら吊り戸１の走行をガイドしている状態を示している。
【００５３】
上記のようにガイドピン５を走行溝６内に突入させてガイドしながら吊り戸１を走行させて吊り戸１の走行溝６の他端部に設けた吸引用磁石１５の下面の極（実施形態ではＳ極）が当該ガイドピン５の磁石８を通過して吸引力が無くなった時点でガイドピン５が自重により下方に移動し、更に、第１ガイド９が下方に移動することで第２ガイド１０も下方に移動し、図６に示すように第１ガイド９が第２ガイド１０内に没入すると共に第２ガイド１０がガイド具本体７の内筒２０内に没入することで、伸縮自在なガイドピン５が収縮状態で床面４下に位置するものである。この場合、導入溝部４１の案内溝部４２と反対側の端部には案内溝部４２側に行くほど上となるような傾斜ガイド１６を設けておくと、傾斜ガイド１６により第１ガイド９の磁石８と吸引用磁石１５との吸引に抗して第１ガイド９を下方に押し下げ、磁石８と吸引用磁石１５との吸引力を減少させながら第１ガイド９を下方に移動して上記吸引力の影響しない領域で自重によりスムーズに第１ガイド９を落下させることができるものである。
【００５４】
本発明においては、ガイドピン５が前述のように上方への突出状態で伸び且つガイド具本体７への収納状態で収縮するように構成してあるので、ガイドピン５の上方への突出状態において十分な突出距離を確保できながら、床面４下にガイドピン５を没入させた状態で床面４下におけるガイドピン５の収納のために必要な深さを浅く（上下長さを短く）できるので、床スラブ上にフロアー材を直接貼り付けた直貼りフロアーのように床面４から床スラブまでの上下長さが短い床の場合であっても、本発明の吊り戸のガイド具を床面４下に取付けて使用可能となるものである。つまり、本発明においてはガイドピン５の伸張状態における突出長さよりもガイド具本体７の上下長さを短くできて、床面４に形成する穴１８の深さが浅くてもガイド具本体７を床面４下に埋設して取付けることができると共に収縮した状態でガイドピン５をガイド具本体７の内筒２０内に収納することができて、ガイドピン５が床面４上に突出せず、床面４の歩行に当たってガイドピン５が邪魔にならないで歩行できるものである。
【００５５】
導入溝部４１の溝幅を第２ガイド１０よりも幅広とし、中間溝部４３の溝幅を第２ガイド１０よりも幅狭で且つ第１ガイド９よりも幅広とし、案内溝部４２の溝幅を導入溝部４１側端部においては第２ガイド１０よりも幅広で中間溝部４３側端部において第２ガイド１０よりも幅狭で且つ第１ガイド９よりも幅広となるように次第に狭くしてあるので、走行溝６の長手方向の端部の導入溝部４１においては第２ガイド１０よりも幅広であるため、幅の狭い（つまり小径の）第１ガイド９を磁力により確実に導入溝部４１内に導入できるものであり、しかも、いったん導入した後は案内溝部４２により案内されて溝幅の狭い中間溝部４３に第１ガイド９が導入されて引き戸１の走行時のがたつきを防止することができるようになっている。
【００５６】
ここで、床面４と引き戸１の下面との間の隙間寸法は施工誤差等により現場毎に多少異なるので、伸縮自在なガイドピン５の伸張状態における床面４から上方への突出長さに多少の余裕を持たせてあって、伸張状態において、ガイドピン５の上端の磁石８が吸引用磁石１５に確実に吸引できるようにしてある。
【００５７】
このような本発明において、第２ガイド１０と第１ガイド９とのスライド部分にごみなどがつまると、磁力による吸引で第１ガイド９が導入溝部４１に入る場合等、第１ガイド９が第２ガイド１０から十分に伸び切らないままの状態で第２ガイド１０の上部も導入溝部４１内に入り込むことがあるが、本発明あっては、導入溝部４１内に第１ガイド９と第２ガイド１０の上端部が入り込んだ場合、案内溝部４２の横幅を上記のように導入溝部４１側端部においては第２ガイド１０よりも幅広で中間溝部４３側端部において第２ガイド１０よりも幅狭で且つ第１ガイド９よりも幅広となるように次第に狭くして幅寄せ部Ａを構成し、該案内溝部４２の全長又は途中の一部を上記幅の条件下において更に溝幅が下に行くほど広くなるようにして押し下げ部Ｂを構成してあるので、案内溝部４２において案内溝部４２の各部の溝幅が第１ガイド９よりも幅広であるため第１ガイド９は磁石８が吸引用磁石１５で吸引されて上方に引き上げられるが、第２ガイド１０のセンターが幅寄せ部Ａにより案内溝部４２の幅方向のセンターに一致するように幅寄せがなされて第２ガイド１０を案内溝部４２の幅方向のセンターに一致させながら押し下げ部Ｂにより第２ガイド１０が下方に押し下げられて案内溝部４２から下方に押し出される。これにより第１ガイド９が第２ガイド１０から十分に伸び切らないままの状態で第２ガイド１０の上部も導入溝部４１内に入んでも、磁力による第１ガイド９の上方への吸引と案内溝部４２による第２ガイド１０の下方への押し下げ移動とにより、第１ガイド９を導入溝部４１の幅方向のセンター側に幅寄せされた第２ガイド１０に対して第１ガイド９を導入溝部４１の幅方向のセンターに一致する状態で上方に引き上げて案内溝部４２に確実に挿入され、次いで案内溝部４２から中間溝部４３に第１ガイド９のみが入り込み、吊り戸１をがたつきなく安定して走行させることができるものである。
【００５８】
上記のように、第１ガイド９が第２ガイド１０から十分に伸び切らないままの状態で第２ガイド１０の上部も導入溝部４１内に入り込んでも、磁力による第１ガイド９の上方への吸引と案内溝部４２による第２ガイド１０の下方への押し下げ移動とにより、第１ガイド９を第２ガイド１０に対して上方に引き上げて吊り戸１の安定した走行ガイドを行うことができるものである。
【００５９】
次に、本発明の他の実施形態を図１６乃至図１９に基いて説明する。
【００６０】
上記実施形態においては、基本的構成は前述の実施形態と同様なので、重複する説明は省略し、異なる構成、特に、導入溝部４１と案内溝部４２とを備えた端部部材４４の構成につき説明する。
【００６１】
図１８には端部部材４４が示してある。本実施形態における端部部材４４は断面略Ｈ字状をしており、上下方向の中間に設けた中仕切り５０よりも下側の凹所に導入溝部４１と案内溝部４２とが形成してあり、中仕切り５０よりも上の凹所に磁石取付け部５１を設けて吸引用磁石１５を取付けてある。導入溝部４１の案内溝部４２と反対側の端部は開口していて導入用の開口となっており、また、案内溝部４２の導入溝部４１と反対方向の端部は開口しており、断面Ｈ字状をした端部ブロック部４８の案内溝部４２の端部には突部４６が突設してある。また、中仕切り５０には固着具挿入孔７０が設けてあり、吊り戸１の縦框５２の下面部の長手方向の両端部にそれぞれ端部部材４４を位置させた状態で図１７のように固着具挿入孔７０からビスのような固着具７１を挿入して固着してある。また、吊り戸１の下面部の両側の端部部材４４間には中間部材４５がビスのような固着具７１により固着してある。これにより吊り戸１の下面部には下方及び長手方向の両端部に開口する走行溝６が形成されることになる。
【００６２】
本実施形態では上記のように吊り戸１の下面部に設けた走行溝６の長手方向の両端部の導入溝部４１がそれぞれ吊り戸１の下面部の長手方向の長手方向の両端において長手方向と平行な外側方に開口している例を示しているが、前述の実施形態と同様に、吊り戸１の下面部の長手方向の両端部に設けた導入溝部４１を吊り戸１の下端面部の長手方向の最端部よりもやや内側に引き込んだ位置に配設するようにして導入溝部４１の端部が見えないようにしてもよいものである。
【００６３】
中間部材４５は長尺の金属又は合成樹脂の型材により形成してあり、図１６、図１９に示すように、下面部に下方及び長手方向の両端部に開口する凹部４５ａを全長にわたって形成してあり、凹部４５ａ内の全長にわたって下方及び長手方向の両端部に開口する中間溝部４３を有する溝部材４３ａを設けてあり、この溝部材４３ａの上面部には鉄板のような磁性体１５ａが全長にわたって取付けてある。また、中間部材４５には突部４６が嵌り込む受け部４７となる孔が形成してある。
【００６４】
導入溝部４１の溝幅が第２ガイド１０よりも幅広となっていて、図１８のように導入溝部４１の全長にわたって同じ幅となっている。
【００６５】
案内溝部４２は図１６、図１７、図１８に示すように、溝幅が導入溝部４１側端部においては第２ガイド１０よりも幅広で中間溝部４３側端部において第２ガイド１０よりも幅狭となっている。具体的には案内溝部４２の導入溝部４１側端部は、導入溝部４１側から中間溝部４３側の方に行く程次第に幅が狭くなるように平面視ハ字状をしたハ字状部４２ｅになっていて、本実施形態ではこのハ字状部４２ｅが第２ガイド１０のセンターを案内溝部４２の幅方向のセンター側に寄せるための幅寄せ部Ａとなっている。
【００６６】
該案内溝部４２の導入溝部４１側端部の上記平面視ハ字状をした幅寄せ部Ａの終端（幅寄せ部Ａの中間溝部４３側の端部である最も幅の狭くなった箇所）から案内溝部４２の中間溝部４３側の端部までの間は、溝幅が第２ガイド１０よりも幅狭で且つ第１ガイド９よりも幅広の幅が一定となった平行溝部４２ｃとなっている。
【００６７】
平行溝部４２ｃの幅方向の両側の外側部分には平行溝部４２ｃに沿って案内溝部４２の中間溝部４３側端部に行く程下面が下となるように下り傾斜した傾斜下面部４２ｄを設けてあって、本実施形態ではこの傾斜下面部４２ｄが押し下げ部Ｂを構成している。
【００６８】
図１８の実施形態では同図（ｂ）に示すように、上記平面視ハ字状をしたハ字状部４２ｅの下面は更にハ字状部４２ｅの導入溝部４１側端部から平行溝部４２ｃ側端部にかけて次第に下となるように下り傾斜しており、ハ字状部４２ｅの下面の平行溝部４２ｃ側端部から上記傾斜下面部４２ｄの下り傾斜が始まっており、したがって、本実施形態ではハ字状部４２ｃの下面も押し下げ部Ｂの一部を構成している。
【００６９】
また、平行溝部４２ｃの溝幅は中間溝部４３の溝幅と同じで両者は段差なく連通している。
【００７０】
上記のような構成の実施形態においては、案内溝部４２の導入溝部４１側の端部に設けた幅寄せ部Ａにおいて、第２ガイド１０のセンターが次第に導入溝部４１のセンターに位置するように幅寄し、次にこのように第２ガイド１０を幅寄せした状態で押し下げ部Ｂにより次第に下方に押し下げて行くことができる。つまり、第２ガイド１０を幅寄せして第２ガイド１０の上面の両側（平面視において吊り戸１が走行する方向と直交する方向の両側）を押し下げ部Ｂに当接させると共に第１ガイド９を平行溝４２ｃに位置させるというように案内溝部４２と、第１ガイド９、第２ガイド１０との幅方向の位置関係を正確な状態にし、第１ガイド９を平行溝部４２ｃ内に位置させた状態で安定して確実に第２ガイド１０を案内溝部４２から下方に抜けさせる操作を行うことができる。
【００７１】
なお、本実施形態では前述のように、幅寄せ部Ａを構成するハ字状部４２ｃの下面も押し下げ部Ｂの一部を構成しているので、案内溝部４２の導入溝部４１側の端部部分で幅寄せしながら同時に第２ガイド１０の押し下げを同時におこなっているので、第２ガイド１０の上面を傾斜下面部４２ｄにスムーズに移動させて押し下げていくことができるものである。
【図面の簡単な説明】
【００７２】
【図１】本発明の吊り戸装置を用いた吊り戸の概略平面図である。
【図２】同上の一部省略した分解斜視図である。
【図３】（ａ）は同上の走行溝部分を示す正面断面図であり、（ｂ）は走行溝部分の下面部である。
【図４】同上の走行溝部分を示す下方から見た斜視図である。
【図５】同上の走行溝部分の分解斜視図である。
【図６】同上のガイド具のガイドピンが縮んでガイド具本体内に没入している状態を示す断面図である。
【図７】同上のガイド具のガイドピンが上方に突出して伸張している状態を示す断面図である。
【図８】（ａ）は同上の吊り戸装置の平面図であり、（ｂ）は正面図である。
【図９】同上に用いる外筒を示し、（ａ）は平面図であり、（ｂ）は正面図であり、（ｃ）は側面図であり、（ｄ）は側面断面図であり、（ｅ）は平断面図である。
【図１０】同上に用いる内筒を示し、（ａ）は平面図であり、（ｂ）は正面図であり、（ｃ）は側面図であり、（ｄ）は底面図である。
【図１１】同上に用いる第２ガイドを示し、（ａ）は平面図であり、（ｂ）は正面図であり、（ｃ）は側面図である。
【図１２】同上に用いる第１ガイドを示し、（ａ）は平面図であり、（ｂ）は正面図であり、（ｃ）は側面図である。
【図１３】同上の中間部材の取付け部分の断面図である。
【図１４】同上の端部部材を示し、（ａ）は平面図であり、（ｂ）は正面図であり、（ｃ）は下面図であり、（ｄ）は左側面図であり、（ｅ）は右側面図である。
【図１５】同上の中間部材の断面図である。
【図１６】本発明の他の実施形態の分解斜視図である。
【図１７】同上の断面図である。
【図１８】同上に用いる端部部材を示し、（ａ）は下面図であり、（ｂ）は断面図である。
【図１９】同上の吊り戸の下部と中間部材を示す分解断面図である。
【図２０】従来例のガイド具の断面図である。
【符号の説明】
【００７３】
１  吊り戸
２  上レール
３  ランナー
４  床面
５  ガイドピン
６  走行溝
７  ガイド具本体
８  磁石
９  第１ガイド
１０  第２ガイド
１１  係止部
１２  被係止部
４１  導入溝部
４２  案内溝部
４３  中間溝部
４４  端部部材
４５  中間部材
４６  突部
４７  受け部
Ａ  幅寄せ部
Ｂ  押し下げ部